(57)【要約】【課題】ギア駆動によってリーフブロックを移動させることで照射野を絞る放射線治療装置及び当該装置に備えられるコリメータ装置に関し、バックラッシによって発生した摩耗粉を除去する技術を提供する。【解決手段】ギア駆動されるリーフブロックを有するマルチリーフコリメータの近傍に吸込口を配する吸引手段を備えることで、バックラッシによって発生した摩耗粉を吸い取り除去する。例えば、吸込口をラックギアの近傍であってピニオンギアと噛合う位置よりも曝射口側に配されるようにする。【選択図】図３
2009207654.tif 000002
【特許請求の範囲】
【請求項１】
放射線を照射する放射線源と、
被検体を載置する寝台と、
前記放射線を遮蔽する素材で組成された複数のリーフブロックを有し、このリーフブロックをギア駆動によって独立して移動させることで、これらリーフブロックで囲まれる照射野を所定形状に絞るマルチリーフコリメータと、
前記マルチリーフコリメータの近傍に吸込口を配し、前記ギア駆動に伴い発生する摩耗粉を吸引する吸引手段と、
を備えること、
を特徴とする放射線治療装置。
【請求項２】
前記マルチリーフコリメータは、前記寝台側の底面に前記照射野よりも大きい曝射口を有するカバーで覆われ、
前記リーフブロックは、該リーフブロックの一面に配されたラックギアとこれに噛合するピニオンギアとによる前記ギア駆動によって前記曝射口上に突出移動可能にされており、
前記吸込口は、前記ラックギアの近傍であって前記ピニオンギアと噛合う位置よりも前記曝射口側に配されること、
を特徴とする請求項１記載の放射線治療装置。
【請求項３】
前記吸込口は、前記曝射口の縁及び前記ラックギアの近傍に配されること、
を特徴とする請求項２記載の放射線治療装置。
【請求項４】
前記吸引手段は、前記ラックギアと前記吸込口との間に、前記ラックギアに付着する前記摩耗粉を除去するブラシを更に有すること、
を特徴とする請求項２記載の放射線治療装置。
【請求項５】
前記マルチリーフコリメータは、前記寝台側の底面に曝射口を有するカバーで覆われていること、
を特徴とする請求項１記載の放射線治療装置。
【請求項６】
前記吸引手段は、前記カバーの少なくとも一面に前記吸引口を配すること、
を特徴とする請求項５記載の放射線治療装置。
【請求項７】
前記マルチリーフコリメータは、前記リーフブロックをギア駆動させるモータ及び減速機と前記リーフブロックの位置を検出する検出手段とを有し、
前記吸引手段は、前記モータ、前記減速機、及び前記検出手段の近傍に更に吸引口を配すること、
を特徴とする請求項２記載の放射線治療装置。
【請求項８】
前記吸引手段は、前記吸引口の後段に前記摩耗粉を濾過するフィルタを脱着可能に配すること、
を特徴とする請求項１乃至７のいずれかに記載の放射線治療装置。
【請求項９】
放射線源と寝台との間に介在して放射線の照射野を所定形状に絞るコリメータ装置であって、
前記放射線を遮蔽する素材で組成された複数のリーフブロックを有し、このリーフブロックをギア駆動によって移動させることで、これらリーフブロックで囲まれる照射野を所定形状に絞るマルチリーフコリメータと、
前記マルチリーフコリメータの近傍に吸込口を配し、前記ギア駆動に伴い発生する摩耗粉を吸引する吸引手段と、
を備えること、
を特徴とするコリメータ装置。
【請求項１０】
前記マルチリーフコリメータは、前記寝台側の底面に前記照射野よりも大きい曝射口を有するカバーで覆われ、
前記リーフブロックは、該リーフブロックの一面に配されたラックギアとこれに噛合するピニオンギアとによる前記ギア駆動によって前記曝射口上に突出移動可能にされており、
前記吸込口は、前記ラックギアの近傍であって前記ピニオンギアと噛合う位置よりも前記曝射口側に配されること、
を特徴とする請求項９記載のコリメータ装置。
【請求項１１】
前記吸込口は、前記曝射口の縁及び前記ラックギアの近傍に配されること、
を特徴とする請求項１０記載のコリメータ装置。
【発明の詳細な説明】
【技術分野】
【０００１】
本発明は、放射線を発生させて被検体に曝射する放射線治療装置、及びこの装置に備えられた放射線の照射野を絞るマルチリーフコリメータに関し、マルチリーフコリメータのギア駆動によって発生する摩耗粉を除去する技術に関する。
【背景技術】
【０００２】
従来、癌や腫瘍等の患部に放射線を曝射することにより、当該患部の組織細胞を破壊、又は分裂阻止等することで、その治療を目指す放射線治療が広く行われるようになっている。この放射線治療は、患部周辺の正常組織の障害を最小限度に抑えるため、又患部への効果的な放射線照射のため、患部に放射線を正確に照射することが重要である。
【０００３】
そこで発生した放射線は、照射野が患部形状と近似になるようにマルチリーフコリメータによって絞られる。マルチリーフコリメータは、タングステン等の放射線を遮断する素材で組成される複数枚のリーフブロックで構成され、放射線源と放射線を曝射する必要のない箇所との間にリーフブロックを移動させることによって、曝射する放射線の照射野を所定形状に絞る。
【０００４】
このマルチコリメータは、各リーフブロックと対になった移動機構を有し、移動機構を駆動させることでリーフブロックを移動させる。移動機構は、一般的に、モータとそのモータの駆動力をリーフブロックに伝達するギアとにより構成されており、リーフブロックは、ギア駆動により移動される。例えば、リーフブロックの移動方向に沿って刻設されたラックギアとこのラックギアに噛合うピニオンギアとを配し、ピニオンギアをシャフトや各種のギアを介してモータと接続する（例えば、「特許文献１」参照。）。
【０００５】
リーフブロックの移動のためにギアの歯が噛合う際には、バックラッシの設定に伴う歯同士の摩擦により歯の表面が削れてしまい、摩耗粉が発生する。発生した摩耗粉は、部品に付着して内部を汚すだけでなく、部品内や部品間に入り込んで故障を発生させる場合がある。また、リーフブロックに付着した摩耗粉は、リーフブロックの下方に載置されている被検体上に落下し、被検体にストレスを与えるとともに、摩耗粉により放射線治療を阻害させるおそれもある。
【０００６】
そのため、摩耗粉を取り除くメンテナンスを頻繁に行わねばならず、また様々な箇所に付着した摩耗粉を取り除くメンテナンス作業は長時間を要していた。
【０００７】
これら問題を解決するためには、ギアを摩耗粉が発生しにくい材質に変更することも考えられるが、リーフブロックは放射線を遮断させるという機能を発揮させるためにその材質を変更しにくく、材質の変更による摩耗粉の軽減は困難であった。
【０００８】
【特許文献１】特開平１１−２１６１９７号公報
【発明の開示】
【発明が解決しようとする課題】
【０００９】
本発明は、以上の問題点に鑑みてなされたものであって、その目的は、ギア駆動によってリーフブロックを移動させることで照射野を絞る放射線治療装置及び当該装置に備えられるコリメータ装置に関し、バックラッシによって発生した摩耗粉を除去する技術を提供することにある。
【課題を解決するための手段】
【００１０】
上記課題を解決するための、請求項１記載の発明は、放射線を照射する放射線源と、被検体を載置する寝台と、前記放射線を遮蔽する素材で組成された複数のリーフブロックを有し、このリーフブロックをギア駆動によって独立して移動させることで、これらリーフブロックで囲まれる照射野を所定形状に絞るマルチリーフコリメータと、前記マルチリーフコリメータの近傍に吸込口を配し、前記ギア駆動に伴い発生する摩耗粉を吸引する吸引手段と、を備えること、を特徴とする。
【００１１】
前記マルチリーフコリメータは、前記寝台側の底面に前記照射野よりも大きい曝射口を有するカバーで覆われ、前記リーフブロックは、該リーフブロックの一面に配されたラックギアとこれに噛合するピニオンギアとによる前記ギア駆動によって前記曝射口上に突出移動可能にされており、前記吸込口は、前記ラックギアの近傍であって前記ピニオンギアと噛合う位置よりも前記曝射口側に配されるようにしてもよい（請求項２記載の発明に相当）。
【００１２】
前記吸込口は、前記曝射口の縁及び前記ラックギアの近傍に配されるようにしてもよい（請求項３記載の発明に相当）。
【００１３】
前記吸引手段は、前記ラックギアと前記吸込口との間に、前記ラックギアに付着する前記摩耗粉を除去するブラシを更に有するようにしてもよい（請求項４記載の発明に相当）。
【００１４】
前記マルチリーフコリメータは、前記寝台側の底面に曝射口を有するカバーで覆われているようにしてもよい（請求項５記載の発明に相当）。
【００１５】
前記吸引手段は、前記カバーの少なくとも一面に前記吸込口を配するようにしてもよい（請求項６記載の発明に相当）。
【００１６】
前記マルチリーフコリメータは、前記リーフブロックをギア駆動させるモータ及び減速機と前記リーフブロックの位置を検出する検出手段とを有し、前記吸引手段は、前記モータ、前記減速機、及び前記検出手段の近傍に更に吸込口を配するようにしてもよい（請求項７記載の発明に相当）。
【００１７】
前記吸引手段は、前記吸込口の後段に前記摩耗粉を濾過するフィルタを脱着可能に配するようにしてもよい（請求項８記載の発明に相当）。
【００１８】
また、上記課題を解決するための、請求項９記載の発明は、放射線源と寝台との間に介在して放射線の照射野を所定形状に絞るコリメータ装置であって、前記放射線を遮蔽する素材で組成された複数のリーフブロックを有し、このリーフブロックをギア駆動によって移動させることで、これらリーフブロックで囲まれる照射野を所定形状に絞るマルチリーフコリメータと、前記マルチリーフコリメータの近傍に吸込口を配し、前記ギア駆動に伴い発生する摩耗粉を吸引する吸引手段と、を備えること、を特徴とする。
【００１９】
前記マルチリーフコリメータは、前記寝台側の底面に前記照射野よりも大きい曝射口を有するカバーで覆われ、前記リーフブロックは、該リーフブロックの一面に配されたラックギアとこれに噛合するピニオンギアとによる前記ギア駆動によって前記曝射口上に突出移動可能にされており、前記吸込口は、前記ラックギアの近傍であって前記ピニオンギアと噛合う位置よりも前記曝射口側に配されるようにしてもよい（請求項１０記載の発明に相当）。
【００２０】
前記吸込口は、前記曝射口の縁及び前記ラックギアの近傍に配されるようにしてもよい（請求項１１記載の発明に相当）。
【発明の効果】
【００２１】
本発明では、ギア駆動されるリーフブロックを有するマルチリーフコリメータの近傍に吸込口を配する吸引手段を備えるようにした。このため、ギア駆動によるバックラッシによって生じた摩耗粉によって、移動機構の動きを鈍くし、さらには故障を発生させるおそれが低減する。また、摩耗粉が被検体上に落ちてしまうおそれが低減し、被検体のストレスや被検体上に落ちた摩耗粉による放射線の曝射の阻害が低減される。また、摩耗粉が自動的に取り除かれるために、摩耗分を除去するメンテナンスの間隔を延長することができるとともに、メンテナンスに要する作業時間の短縮にもつながる。
【００２２】
また、例えば、吸込口をラックギアの近傍であってピニオンギアと噛合う位置よりも曝射口側に配されるようにすることで、被検体の直上に開口する曝射口に、リーフブロックが摩耗粉を付着させたまま突出することをより確実に防止し、被検体上に摩耗粉を落下させてしまうことをさらに低減させる。
【発明を実施するための最良の形態】
【００２３】
図１は、本実施形態に係る放射線治療装置１の構成例を示す外観図である。
【００２４】
放射線治療装置１は、被検体Ｐの患部に放射線を曝射することで当該患部を治療する装置である。この放射線治療装置１は、放射線を発生させる放射ヘッド２と、被検体Ｐを載置する寝台５とを備える。放射ヘッド２と寝台５は、対向して配置される。放射ヘッド２で発生した放射線は、寝台５側へ放射される。
【００２５】
この放射線治療装置１は、装置設置面に固定架台３を固定し、固定架台３に回転架台４を中空で回転可能に軸支させ、この回転架台４に放射ヘッド２を設置する。回転架台４は、略Ｌ字状の立体形状を有する。回転架台４は、片腕４ａが固定架台３に支持され、他方の片腕４ｂの先端に放射ヘッド２が設置されている。放射ヘッド２は、寝台５の方向へ向けられている。寝台５は、被検体Ｐを体軸方向へ移動させ、また被検体Ｐを上下動並びに回転架台４の軸回り方向へ回転させる。
【００２６】
放射線治療では、寝台５へ載置した被検体Ｐの患部と放射線のアイソセンタを合致させる。アイソセンタは、回動軸３ａの軸線と放射ヘッド２の軸線とが交差するポイントである。放射線を曝射する患部とアイソセンタとの位置合わせのため、回転架台４を回動軸３ａの軸回りに回転させることで、放射ヘッド２の向きを変更する。放射ヘッド２の向き変更によって、発生する放射線は異なった角度で放射され、アイソセンタが回動軸３ａの軸回りに変更可能となる。さらに、寝台５を駆動させて被検体Ｐを体軸方向に移動させることで、アイソセンタを患部に合致させる。
【００２７】
図２は、放射線治療装置１の基本構造を示す概略図である。
【００２８】
図２に示すように、放射ヘッド２には、放射線源２１と図示しない絞りブロックとマルチリーフコリメータ２３が寝台５方向へ並べて内設されている。放射線源２１と絞りブロックとマルチリーフコリメータ２３は、放射ヘッド２のカバー２２に覆われている。カバー２２の寝台５側に位置する底面には、曝射口２２ａが開口している。
【００２９】
また、回転架台４には、マルチリーフコリメータ２３の駆動で発生した摩耗粉を吸引する吸引機構２４が収容されている。吸引機構２４は、吸引機２４ａと、一端に吸込口２４ｃが形成された吸引ホース２４ｂを含み構成されている。吸引機２４ａは、回転架台４の片腕４ｂ内に収容されている。吸引ホース２４ｂは、他端が吸引機２４ａに接続されている。この吸引ホース２４ｂは、マルチリーフコリメータ２３の近傍に吸込口２４ｃが至るまで放射ヘッド２内へ延設されている。
【００３０】
放射線源２１は、電子加速器や対電子線ターゲット等を含み構成されており、電子加速器で電子を加速させ、対電子線ターゲットに衝突させることで放射線を発生させる。発生する放射線は、光子線(Ｘ線、γ線など)、電子線、重粒子線(陽子、ヘリウム、炭素、ネオン、π中間子線、中性子線など)等である。
【００３１】
絞りブロック及びマルチリーフコリメータ２３は、放射線源２１から照射される放射線の放射範囲に設置され、放射線の放射範囲を絞ることにより、患部形状に合致した照射野Ｆを画成するコリメータ装置である。照射野Ｆは、放射線が曝射される領域である。
【００３２】
マルチリーフコリメータ２３は、放射線源２１から曝射される放射線を挟んで対向するリーフブロック２３Ａ及び２３Ｂを備える。このリーフブロック２３Ａ及び２３Ｂの対は、その側面と直交する方向に複数並設されている。リーフブロック２３Ａ及び２３Ｂは、タングステン等の放射線を遮蔽する素材で組成されている。リーフブロック２３Ａ及び２３Ｂと交差する放射線は、このリーフブロック２３Ａ及び２３Ｂによって遮蔽され、全リーフブロック２３Ａ及び２３Ｂによって囲まれた空間を通過する放射線のみが寝台５側へ至る。即ち、全リーフブロック２３Ａ及び２３Ｂによって囲まれた空間が照射野Ｆとなる。
【００３３】
リーフブロック２３Ａ及び２３Ｂは、板形状を有する。その断面は、テーパ状であり、その側面は、短周長のアーチ状である。リーフブロック２３Ａ及び２３Ｂの外周側円弧面は、放射線源２１を中心とした円弧と同一のカーブ半径を有する。対面しているリーフブロック２３Ａとリーフブロック２３Ｂを放射線源２１を中心とした同一円弧軌道に沿って接近又は離反移動させることによって、全リーフブロック２３Ａ及び２３Ｂによって囲まれることで画成される照射野Ｆを患部形状に合致した形状に絞る。
【００３４】
マルチリーフコリメータ２３は、移動機構２５を有する。リーフブロック２３Ａ及び２３Ｂは、移動機構２５によるギア駆動によってそれぞれ独立して移動する。ギア駆動によっては、ギアの噛合いにより歯が摩耗し、摩耗粉が生じる。吸引機構２４は、この摩耗粉を除去する。図３は、移動機構２５及び吸引機構２４の構成を示すリーフブロック２３Ａ及び２３Ｂ付近の拡大図である。
【００３５】
図３に示すように、各リーフブロック２３Ａ及び各リーフブロック２３Ｂには、それぞれ移動機構２５が配される。移動機構２５は、それぞれ移動対象のリーフブロック２３Ａ又は２３Ｂを、放射線源２１を中心とした同一円弧軌道を移動方向として変位させる。
【００３６】
図３に示すように、移動機構２５は、ギアードモータ２５ａと、各種ギア２５ｂと、シャフト２５ｃと、ラックギア２５ｅ及びピニオンギア２５ｄと、位置検出器２５ｆとから構成されている。ギアードモータ２５ａは、モータと減速機とから構成される。
【００３７】
このギアードモータ２５ａのトルクは、各種のギア２５ｂにより伝達され、これらギア２５ｂの一つに取り付けられたシャフト２５ｃを軸回転させる。ラックギア２５ｅは、リーフブロック２３Ａ又は２３Ｂの外周面に外周方向に沿って刻設されている。ピニオンギア２５ｄは、このラックギア２５ｅと噛合うように、リーフブロック２３Ａ又は２３Ｂの外周面の直下に配されている。シャフト２５ｃは、リーフブロック２３Ａ又は２３Ｂの外周面の直下まで延び、ピニオンギア２５ｄは、シャフト２５ｃの一端に取り付けられている。軸回転したシャフト２５ｃは、ピニオンギア２５ｄを回転させる。ピニオンギア２５ｄとラックギア２５ｅは、シャフト２５ｃから伝達されたギアードモータ２５ａのトルクを、リーフブロック２３Ａ又は２３Ｂの放射線源２１を中心とした円弧運動に変換する。
【００３８】
リーフブロック２３Ａ及び２３Ｂは、３点のリーフガイド２６によって支持され、ラックアンドピニオン機構によって放射線源２１を中心とした円弧上を移動する。そして、各リーフブロック２３Ａ及び各リーフブロック２３Ｂは、曝射口２２ａ上まで突出し、曝射口２２ａを絞って被検体Ｐの患部形状に一致した照射野Ｆを形成する。
【００３９】
位置検出器２５ｆは、ギアードモータ２５ａのトルクを伝達する各種ギア２５ｂの一つに取り付けられ、取り付けられたギア２５ｂの回転量によってリーフブロック２３Ａ又は２３Ｂの位置を検出する。この位置検出器２５ｆは、例えば、ポテンショメータやエンコーダである。
【００４０】
このギア駆動によるリーフブロック２３Ａ及び２３Ｂの移動では、バックラッシよって歯が摩耗し、摩耗粉が発生する。この摩耗粉は、部品に付着して内部を汚すだけでなく、シャフト２５ｃの図示しないベアリングや位置検出器２５ｆやギアードモータ２５ａの内部に入り込み、その動きを鈍くし、さらには故障の招くおそれがある。さらに、摩耗粉がカバー２２の曝射口２２ａから被検体Ｐ上に落ちてしまうおそれがある。摩耗粉が被検体Ｐ上に落ちると、被検体Ｐにストレスがかかるだけでなく、タングステン等の金属である摩耗粉によって放射線の曝射が阻害されてしまう。
【００４１】
吸引機構２４は、この摩耗粉を吸引することで、内部の清掃、リーフブロック２３Ａ及び２３Ｂの移動の円滑化、故障防止、被検体Ｐのストレス軽減、及び放射線曝射の阻害阻止を行っている。そのため、吸引ホース２４ｂは、マルチリーフコリメータ２３の近傍まで延びている。
【００４２】
詳しくは、吸引ホース２４ｂは、ラックギア２５ｅに付着する摩耗粉を除去するために、吸込口２４ｃがラックギア２５ｅの近傍に位置するように延びている。さらに、ラックギア２５ｅに摩耗粉が付着したままリーフブロック２３Ａ及びリーフブロック２３Ｂが曝射口２２ａに突出することをより確実に防止するために、吸引ホース２４ｂは、ピニオンギア２５ｄとラックギア２５ｅの噛合い位置よりも曝射口２２ａよりに吸込口２４ｃが位置するように延びている。例えば、吸込口２４ｃが曝射口２２ａの縁に位置するように延びている。
【００４３】
この吸込口２４ｃの位置取りにより、リーフブロック２３Ａ及び２３Ｂが曝射口２２ａに突出する前に、リーフブロック２３Ａ及びリーフブロック２３Ｂに刻設されたラックギア２５ｅに付着した摩耗粉が吸込口２４ｃから吸い取られる。即ち、リーフブロック２３Ａ及び２３Ｂの外周面に摩耗粉が付着したまま、被検体Ｐ上に位置して摩耗粉を被検体Ｐ上に落下させてしまうことが防止される。
【００４４】
なお、マルチリーフコリメータ２３を覆うようにカバー２２が取り付けられ、このカバー２２の底面に曝射口２２ａが開口していることで、吸引機２４ａに向かう空気は、曝射口２２ａから供給され、カバー２２内には、摩耗粉が巻き上げられる方向に空気の流れが発生し、摩耗粉が落下しづらくなっている。
【００４５】
また、リーフブロック２３Ａ及び２３Ｂに付着した摩耗粉を確実に取り払うために、吸引機構２４は、ラックギア２５ｅの表面を掃くブラシ２４ｄを有する。ブラシ２４ｄは、吸込口２４ｃとラックギア２５ｅとの間に介在し、摩耗粉を吸込口２４ｃに落とすことで、さらに確実に摩耗粉をリーフブロック２３Ａ及び２３Ｂから除去する。
【００４６】
また、吸引機２４ａに摩耗粉が詰まるのを防止するために、吸込口２４ｃの後段、即ち吸引ホース２４ｂ内にフィルタ２４ｅが着脱可能に取り付けられている。このフィルタ２４ｅは、スポンジ構造を有し、空気を通過させつつ、摩耗粉を濾過する。このフィルタ２４ｅは、例えば、カードリッジ式になっており、２本に分割された吸引ホース２４ｂの間に介在させるように取り付ける。
【００４７】
図４は、吸引ホース２４ｂの配設の一例を示す図であり、各リーフブロック２３Ａ又は各リーフブロック２３Ｂを外周面側から見た断面図である。
【００４８】
図４に示すように、リーフブロック２３Ａ又は２３Ｂの外周面を支持するリーフガイド２６を、並設されている各リーフブロック２３Ａ又は各リーフブロック２３Ｂを横断する棒形状に形成して曝射口２２ａの縁に配置する。そして、この曝射口２２ａの縁に配置されたリーフガイド２６の内部２６ａを中空とし、このリーフガイド２６の内部２６ａに連通するように一本の吸引ホース２４ｂを接続する。そして、このリーフガイド２６と各リーフブロック２３Ａ又は各リーフブロック２３Ｂの外周面とが当接する各位置に吸込口２４ｃとなる開口を形成し、この各吸込口２４ｃをリーフガイド２６の内部２６ａと連通させる。
【００４９】
なお、吸引ホース２４ｂは、各リーフブロック２３Ａ及び２３Ｂへ向けて分岐させるようにして配してもよい。
【００５０】
図５は、吸引機構２４の配置に関する第２の実施形態を示す図である。
【００５１】
上記実施形態は、ピニオンギア２５ｄとラックギア２５ｅとのバックラッシによって発生する摩耗粉を特に効率よく取り除くのに最適な形態であるが、このピニオンギア２５ｄとラックギア２５ｅとの間に発生する摩耗粉を含め、移動機構２５で発生する摩耗粉を全体として取り除くようにすることもできる。
【００５２】
具体的には、カバー２２の少なくとも１面、例えば、カバー２２の両側面にそれぞれ吸込口２４ｃを設け、カバー２２の両側面にそれぞれ吸引ホース２４ｂを接続する。
【００５３】
これによると、曝射口２２ａから取り込まれた空気がカバー２２の両側面に設けられた吸込口２４ｃから取り出されるように、当該空気がカバー２２内を全体的に対流する。従って、ピニオンギア２５ｄ及びラックギア２５ｅとの間に発生する摩耗粉を含め、各種のギア２５ｂ間で発生した摩耗粉も除去することができる。
【００５４】
なお、このカバー２２の少なくとも１面に吸込口２４ｃを設ける構成と、上記実施形態のラックギア２５ｅの近傍に吸込口２４ｃを設ける構成とを、併用するようにしてもよい。
【００５５】
図６は、吸引機構２４の配置に関する第３の実施形態を示す図である。
【００５６】
ピニオンギア２５ｄ及びラックギア２５ｅとの間のバックラッシにより発生する摩耗分を除去するほか、各種のギア２５ｂ間のバックラッシにより発生する摩耗分を除去する構成としては、各種のギア２５ｂの近傍にも吸込口２４ｃを設けるようにしてもよい。
【００５７】
この場合、吸引ホース２４ｂは、各リーフブロック２３Ａ及び２３Ｂのラックギア２５ｅの近傍、及び各リーフブロック２３Ａ及び２３Ｂを移動させる各種のギア２５ｂの近傍に分岐される。フィルタ２４ｅは、分岐管の集合部分に設置する。この構成は、さらにカバー２２の少なくとも１面に吸込口２４ｃを設ける構成と併用するようにしてもよい。
【００５８】
以上のように、本実施形態に係るマルチリーフコリメータ機構では、ギア駆動されるリーフブロック２３Ａ及び２３Ｂを有するマルチリーフコリメータ２３の近傍に吸込口２４ｃを配する吸引機構２４を備えるようにした。
【００５９】
これにより、ギア駆動によるバックラッシによって生じた摩耗粉によって、シャフト２５ｃの図示しないベアリングや位置検出器２５ｆやギアードモータ２５ａの内部に入り込み、その動きを鈍くし、さらには故障の招くおそれが低減する。また、摩耗粉がカバー２２の曝射口２２ａから被検体Ｐ上に落ちてしまうおそれが低減し、被検体Ｐのストレスや被検体Ｐ上に落ちた摩耗粉による放射線の曝射の阻害が低減される。
【００６０】
また、摩耗粉が自動的に取り除かれるために、摩耗分を除去するメンテナンスの間隔を延長することができるとともに、メンテナンスに要する作業時間の短縮にもつながる。
【００６１】
特に、吸込口２４ｃは、ラックギア２５ｅの近傍であってピニオンギア２５ｄと噛合う位置よりも曝射口２２ａ側に配されるようにすることで、被検体Ｐの直上に開口する曝射口２２ａに、リーフブロック２３Ａ及び２３Ｂが摩耗粉を付着させたまま突出することが防止され、被検体Ｐ上に摩耗粉を落下させてしまうことをさらに低減させる。
【図面の簡単な説明】
【００６２】
【図１】本実施形態に係る放射線治療装置の構成例を示す外観図である。
【図２】放射線治療装置の基本構造を示す概略図である。
【図３】リーフブロック付近の拡大図である。
【図４】リーフブロックを外周面側から見た断面図である。
【図５】吸引機構の配置に関する第２の実施形態を示す図である。
【図６】吸引機構の配置に関する第３の実施形態を示す図である。
【符号の説明】
【００６３】
１  放射線治療装置
２  放射ヘッド
２１  放射線源
２２  カバー
２２ａ  曝射口
２３  マルチリーフコリメータ
２３Ａ、２３Ｂ  リーフブロック
２４  吸引機構
２４ａ  吸引機
２４ｂ  吸引ホース
２４ｃ  吸込口
２４ｄ  ブラシ
２４ｅ  フィルタ
２５  移動機構
２５ａ  ギアードモータ
２５ｂ  ギア
２５ｃ  シャフト
２５ｄ  ピニオンギア
２５ｅ  ラックギア
２５ｆ  位置検出器
２６  リーフガイド
３  固定架台
３ａ  回動軸
４  回転架台
４ａ、４ｂ  片腕
５  寝台
Ｐ  被検体
Ｆ  照射野
【図１】
2009207654.tif 000003
【図２】
2009207654.tif 000004
【図３】
2009207654.tif 000005
【図４】
2009207654.tif 000006
【図５】
2009207654.tif 000007
【図６】
2009207654.tif 000008